(57)【要約】      （修正有）【課題】通常の空気清浄器は、使用中に比較的大きな騒音を発生する。真空空気清浄器の排気部分に取り付けられた後、真空空気清浄器が使用時に発生する騒音を著しく減少することができる騒音防止装置を提供する。【解決手段】真空空気清浄器と一緒に使用するための一種の騒音防止装置を開示する。この装置は密閉型ケーシングを備えている。ケーシングの上に空気取入れ口端及び空気出口端が存在する。空気取入れ口端と空気出口端の間に騒音抑圧室が存在する。空気取入れ口端及び空気出口端に、密に配置されている管路形状の排気用微細孔で造られている、空気取入れ口領域及び空気出口領域が存在する。空気取入れ口断面積及び空気出口断面積はそれぞれ、騒音抑圧室の断面積よりも小さい。この装置は、多数の騒音抑圧性構造体を合体するか又は一体化して完全体を成している。【選択図】図１
2004190655.tif 000002
【特許請求の範囲】
【請求項１】
真空空気清浄器と一緒に使用するための一種の騒音防止装置において、この装置は密閉型ケーシング１を備えており；ケーシング１の上に空気取入れ口端２及び空気出口端３が存在し；空気取入れ口端２と空気出口端３の間に騒音抑圧室４が存在し；空気取入れ口端２及び空気出口端３に、密に配置されている管路形状の排気用微細孔５で造られている、空気取入れ口領域６及び空気出口領域７が存在し；しかも、空気取入れ口断面積及び空気出口断面積はそれぞれ、騒音抑圧室４の断面積よりも小さい；ことを特徴とする、上記騒音防止装置。
【請求項２】
空気取入れ口領域６及び空気出口領域７の空気取入れ口方向及び空気出口方向が同一である、請求項１に記載の騒音防止装置。
【請求項３】
空気取入れ口領域６及び空気出口領域７の空気取入れ口方向及び空気出口方向が、それらの間にインクルーデッドアングルを有する、請求項１に記載の騒音防止装置。
【請求項４】
空気取入れ口端２及び空気出口端３における空気取入れ口領域６及び空気出口領域７の位置が互い違いに配置されている、請求項１〜３のいずれか１項に記載の騒音防止装置。
【請求項５】
空気取入れ口領域６及び空気出口領域７以外の、空気取入れ口端２及び空気出口端３の内壁面の上の領域は全て、騒音抑圧性綿で充填されている、請求項１〜３のいずれか１項に記載の騒音防止装置。
【発明の詳細な説明】
【０００１】
（技術分野）
本発明は、一種の真空空気清浄器(vacuum air cleaner)に関する。
【０００２】
（背景技術）
現行技術において、真空空気清浄器の排気口は通常、格子型構造であり、それの機能は単に、不純物が真空空気清浄器の中に入るのを防ぐことであって、それは騒音抑圧効果を全く有していない。従って、通常の空気清浄器は、使用中に比較的大きな騒音を出す。
【０００３】
（発明の内容）
本発明の目的は、真空掃除機(vacuum cleaner)と一緒に使用するための一種の騒音防止装置(noise suppressor)を提供することである。この装置は、多数の騒音抑圧性構造体を一体化して完全体を成している。この装置は、真空空気清浄器の排気部分に取り付けられた後、真空空気清浄器が使用時に放つ騒音を著しく減少することができる。
本発明の技術的概要は、真空空気清浄器と一緒に使用するための一種の騒音防止装置である。この装置は密閉型ケーシングを備えている。ケーシングの上に空気取入れ口端及び空気出口端が存在し；空気取入れ口端と空気出口端の間に騒音抑圧室が存在し；空気取入れ口端及び空気出口端にはそれぞれ、密に配置されている管路形状の排気用微細孔(air exhaust microholes)で造られている、空気取入れ口領域及び空気出口領域が存在し；しかも、空気取入れ口断面積及び空気出口断面積はそれぞれ、騒音抑圧室の断面積よりも小さい。
【０００４】
本発明の更なる技術的概要は、真空空気清浄器と一緒に使用するための一種の騒音防止装置である。この装置は密閉型ケーシングを備えている。該ケーシングの上に空気取入れ口端及び空気出口端が存在し；空気取入れ口端と空気出口端の間に騒音抑圧室が存在し；空気取入れ口端及び空気出口端にはそれぞれ、密に配置されている管路形状の排気用微細孔で造られている、空気取入れ口領域及び空気出口領域が存在し；しかも、空気取入れ口断面積及び空気出口断面積はそれぞれ、騒音抑圧室の断面積よりも小さい。前記空気取入れ口領域及び前記空気出口領域の空気取入れ口方向及び空気出口方向は、同一である場合もあるが、それらの間にインクルーデッドアングル(included angle)を有する場合もある。
【０００５】
本発明の更に詳しい技術的概要は、真空空気清浄器と一緒に使用するための一種の騒音防止装置である。この装置は密閉型ケーシングを備えている。ケーシングの上に空気取入れ口端及び空気出口端が存在し；空気取入れ口端と空気出口端の間には騒音抑圧室が存在し；空気取入れ口端及び空気出口端にはそれぞれ、密に配置されている管路形状の排気用微細孔で造られている、空気取入れ口領域及び空気出口領域が存在し；しかも、空気取入れ口断面積及び空気出口断面積はそれぞれ、騒音抑圧室の断面積よりも小さい。前記空気取入れ口領域及び前記空気出口領域の空気取入れ口方向及び空気出口方向は、同一である場合もあるが、それらの間にインクルーデッドアングルを有する場合もある。前記空気取入れ口端及び前記空気出口端の空気取入れ口領域及び空気出口領域の位置は、互い違いに配置されている。空気取入れ口領域及び空気出口領域以外の、空気取入れ口端及び空気出口端の内壁面の上の領域は全て、騒音抑圧性綿で充填されている。
【０００６】
本発明の長所は次の通りである：
１．本発明の空気取入れ口領域及び空気出口領域は、密に配置されている管路形状の排気用微細孔で造られているので、排気騒音を減少することができ、それら排気用孔が小さければ小さい程、また、管路が長ければ長い程、騒音が減少する効果は優れる。
２．空気取入れ口端と空気出口端の間に騒音抑圧室が存在するので、空気取入れ口領域に入った気体が騒音抑圧室に入る時、その気体の体積は瞬時に増大し、従って、騒音を減少することができる。
３．本発明の空気取入れ口領域及び空気出口領域の位置は、それら位置が互い違いに配置されるように配置されており、空気取入れ口領域中の管路形状の排気用微細孔から入る気体は、騒音抑圧室の中に入った後、空気出口領域中の管路形状の排気用微細孔の中に入ることができる前に、曲がる(bending)必要があり、従って、騒音も減少することができる。
４．本発明において、空気取入れ口領域及び空気出口領域以外、空気取入れ口端と空気出口端の内壁表面の領域は全て騒音抑圧性綿で充填されており、この綿は同様に真空空気清浄器の排気騒音を減少することができる。
５．本発明において、上述の４種の構造体は合体又は一体化することができ、従って、騒音抑圧機能は著しく増大する。本発明を真空空気清浄器の排気部分に取り付けた後、真空空気清浄器の作動騒音(working noise)は著しく減少することができる。
本発明は、下記に好ましい諸態様を参照しながら、更に記述する。
【０００７】
（具体的実施態様）
実施例１：図１及び図２に、一種の騒音防止装置を示す。この装置は、密閉型ケーシング(casing)１を備えており；ケーシング１の上に空気取入れ口端２及び空気出口端３が存在し；空気取入れ口端２及び空気出口端３はそれぞれ、ケーシング１の前端及び後端に配置されており；空気取入れ口方向が空気出口方向と同一であり；空気取入れ口端２と空気出口端３の間に騒音抑圧室４が存在し；空気取入れ口端２及び空気出口端３に、密に配置されている管路形状の排気用微細孔５で造られている、空気取入れ口領域６及び空気出口領域７が存在し；しかも、空気取入れ口断面積及び空気出口断面積はそれぞれ、騒音抑圧室４の断面積よりも小さく；空気取入れ口端２の空気取入れ口領域６は空気取入れ口端２の周りに配置されており；空気取入れ口端２の内壁の中央部分は、騒音抑圧性綿８で充填されており；空気出口端３の空気出口領域７は、空気出口端３の中央部分に配置されており；空気出口端３の内壁の周りは騒音抑圧性綿８で充填されている。
【０００８】
実施例２：図３に、真空空気清浄器と一緒に使用するための一種の騒音防止装置を示す。この装置は密閉型ケーシング１を備えており；ケーシングの上に空気取入れ口端２及び空気出口端３が存在し；空気取入れ口端２及び空気出口端３はそれぞれ、ケーシング１の前端及び側端に配置されており；空気取入れ口方向と空気出口方向の間にインクルーデッドアングル(included angle)が存在し；空気取入れ口端２と空気出口端３の間に騒音抑圧室４が存在し；空気取入れ口端２及び空気出口端３に、密に配置されている管路形状の排気用微細孔５で造られている、空気取入れ口領域６及び空気出口領域７が存在し；しかも、空気取入れ口断面積及び空気出口断面積はそれぞれ、騒音抑圧室４の断面積よりも小さい。
【０００９】
実施例３：図４に、真空空気清浄器と一緒に使用するための一種の騒音防止装置を示す。この装置は密閉型ケーシング１を備えており；ケーシングの上に空気取入れ口端２及び空気出口端３が存在し；空気取入れ口端２及び空気出口端３はそれぞれ、ケーシング１の異なる側面に配置されており；空気取入れ口方向と空気出口方向の間にインクルーデッドアングルが存在し；空気取入れ口端２と空気出口端３の間に騒音抑圧室４が存在し；空気取入れ口端２及び空気出口端３に、密に配置されている管路形状の排気用微細孔５で造られている、空気取入れ口領域６及び空気出口領域７が存在し；しかも、空気取入れ口断面積及び空気出口断面積はそれぞれ、騒音抑圧室４の断面積よりも小さい。
【００１０】
本発明の空気取入れ口領域６及び空気出口領域７は、密に配置されている管路形状の排気用微細孔５で造られているので、真空空気清浄器の排気騒音を減少することができ、排気用孔が小さければ小さい程、管路が長ければ長い程、騒音が減少する効果は優れる。本発明では、空気取入れ口端２と空気出口端３の間に騒音抑圧室４が存在するので、空気取入れ口領域６から入ってくる気体が騒音抑圧室４に入る時、それの体積が瞬間的に増大し、従って、騒音を著しく減少することができる。本発明の空気取入れ口領域６及び空気出口領域７の位置は、それら位置が互い違いに配置されるようなやり方で配置されており、空気取入れ口領域６中の管路形状の排気用微細孔５から入る気体は、騒音抑圧室４に入った後、空気出口領域７中の管路形状の排気用微細孔５の中に入る前に、曲がる(bending)必要があり、従って、騒音も減少することができる。本発明において、空気取入れ口領域６及び空気出口領域７以外、空気取入れ口端２と空気出口端３の内部表面の領域は全て騒音抑圧性綿で充填されており、この綿は同様に真空空気清浄器の排気騒音を減少することができる。上述の４種の構造体は合体又は一体化して本発明の完全体を成すことができ、従って、騒音抑圧機能は著しく増大する。本発明を真空空気清浄器の排気部分に取り付けた後、真空空気清浄器の作動騒音は著しく減少することができる。
【図面の簡単な説明】
【図１】態様１の自由空間図である。
【図２】態様１の断面図である。
【図３】態様２の自由空間図である。
【図４】態様３の自由空間図である。
【符号の説明】
１  ケーシング
２  空気取入れ口端
３  空気出口端
４  騒音抑圧室
５  管路形状の排気用微細孔
６  空気取入れ口領域
７  空気出口領域
８  騒音抑圧性綿
【図１】
2004190655.tif 000003
【図２】
2004190655.tif 000004
【図３】
2004190655.tif 000005
【図４】
2004190655.tif 000006